(57)【要約】【課題】使用時における安定性を損なうことなく、低コストで且つ容易に移動することができる平行棒型手摺を提供する。【解決手段】台座部２の一側部に車輪９を備え、安定性を増すことを目的として台座部２の重さを増しても容易に移動できるようにする。  また、台座部２を傾倒させることによって車輪９のみが接地した状態となるようにする。これにより、移動可能とするための操作が簡単になる。また、車輪９以外の部分が床面に接地することがなく、移動時に床面に傷がつくことを防止できる。さらに、台座部２を傾倒させない使用時においては移動可能な状態とならないので安全である。【選択図】図１
2007075260.tif 000002
【特許請求の範囲】
【請求項１】
床面に設置される台座部と、前記台座部上に設けられた一対の手摺部材と、を備える平行棒型手摺において、
前記台座部は、一側部に車輪を備え、前記台座部を傾倒させることによって前記車輪のみが接地した状態となることを特徴とする平行棒型手摺。
【請求項２】
床面に設置される一対の台座部と、前記一対の台座部の間に架け渡すように配した一対の手摺部材と、を備える平行棒型手摺において、
前記一対の手摺部材は、前記一対の台座部に着脱可能に取り付けられ、前記一対の台座部の間に架け渡すように配した使用状態と、前記一対の台座部の各々に一つずつ配した収納状態と、に切り替え可能とされ、
前記台座部は、一側部に車輪を備え、前記台座部を傾倒させることによって前記車輪のみが接地した状態となることを特徴とする平行棒型手摺。
【請求項３】
前記台座部上に一対の支柱を立設し、
前記一対の支柱に、上下方向に延在するとともに上側に開口した筒状の空間を有する挿入部を形成するとともに、前記手摺部材に前記一対の支柱の間隔と等しい間隔をおいて一対の接続部を形成し、前記挿入部に前記接続部を挿入することで、前記手摺部材が前記台座部に取り付けられるように構成し、
前記一対の接続部の一方を他方より長く形成したことを特徴とする請求項２に記載の平行棒型手摺。
【請求項４】
前記台座部は、前記一対の手摺部材の間隔を変更可能な間隔調整部を備えることを特徴とする請求項１から３の何れか一項に記載の平行棒型手摺。
【発明の詳細な説明】
【技術分野】
【０００１】
本発明は、床面に設置される台座部と、前記台座部上に設けられた一対の手摺部材と、を備える平行棒型手摺に関する。
【背景技術】
【０００２】
足腰の力が弱い人が座った状態から立ち上がる際の手摺やベッドからの立ち上がりまたはフロアーの歩行補助としてや、歩行の訓練などに用いる平行棒型手摺が知られている。
この平行棒型手摺は、体重がかかっても転倒しないような重量を有しており、力の弱い人では移動するのが困難であるとともにコンパクトにならずかさばるため、引きずって移動することにより床に傷がつくなどの問題があった。
そこで、このような平行棒型手摺において、アルミやチタンなどの軽量な材質を用いるとともに、昇降移動が可能なキャスターを設け、その移動を容易にしたものが提案されている（例えば、特許文献１参照）。
【特許文献１】特開２００１−８７３２７号公報
【発明の開示】
【発明が解決しようとする課題】
【０００３】
平行棒型手摺自体を軽量化すれば移動は容易になるが、使用時における安定性が低く、体重がかかった場合に、それ自体が転倒する虞がある。
また、昇降移動が可能なキャスターを設けた場合、その昇降動作が煩雑であるとともに、昇降機構も設けなければならず、コストがかかるという問題がある。
【０００４】
本発明の課題は、使用時における安定性を損なうことなく、低コストで且つ容易に移動することができる平行棒型手摺を提供することである。
【課題を解決するための手段】
【０００５】
以上の課題を解決するため、請求項１に記載の発明は、床面に設置される台座部と、前記台座部上に設けられた一対の手摺部材と、を備える平行棒型手摺において、
前記台座部は、一側部に車輪を備え、前記台座部を傾倒させることによって前記車輪のみが接地した状態となることを特徴とする。
【０００６】
請求項１に記載の発明によれば、台座部は、一側部に車輪を備えるので、安定性を増すことを目的として台座部の重さを増しても容易に移動できる。
また、台座部を傾倒させることによって車輪のみが接地した状態となるので、移動可能とするための操作が簡単であるとともに、車輪を接地させるための機構を必要としないため低コストである。また、車輪以外の部分が床面に接地することがなく、移動時に床面に傷がつくことを防止できる。さらに、台座部を傾倒させない使用時においては移動可能な状態とならないので安全である。
【０００７】
請求項２に記載の発明は、床面に設置される一対の台座部と、前記一対の台座部の間に架け渡すように配した一対の手摺部材と、を備える平行棒型手摺において、
前記一対の手摺部材は、前記一対の台座部に着脱可能に取り付けられ、前記一対の台座部の間に架け渡すように配した使用状態と、前記一対の台座部の各々に一つずつ配した収納状態と、に切り替え可能とされ、
前記台座部は、一側部に車輪を備え、前記台座部を傾倒させることによって前記車輪のみが接地した状態となることを特徴とする。
【０００８】
請求項２に記載の発明によれば、台座部は、一側部に車輪を備えるので、安定性を増すことを目的として台座部の重さを増しても容易に移動できる。
また、台座部を傾倒させることによって車輪のみが接地した状態となるので、移動可能とするための操作が簡単であるとともに、車輪を接地させるための機構を必要としないため低コストである。また、車輪以外の部分が床面に接地することがなく、移動時に床面に傷がつくことを防止できる。さらに、台座部を傾倒させない使用時においては移動可能な状態とならないので安全である。
また、使用状態においては、一対の台座部と一対の手摺部材とが正方形を形成するように枠状に連結された状態となり安定性が高い。また、収納状態においては、一つの台座部と一つの手摺部材とが連結した二組の部材に組替えられるので、移動が容易になるとともに収納スペースを少なくすることができる。
【０００９】
請求項３に記載の発明は、請求項２に記載の平行棒型手摺であって、前記台座部上に一対の支柱を立設し、
前記一対の支柱に、上下方向に延在するとともに上側に開口した筒状の空間を有する挿入部を形成するとともに、前記手摺部材に前記一対の支柱の間隔と等しい間隔をおいて一対の接続部を形成し、前記挿入部に前記接続部を挿入することで、前記手摺部材が前記台座部に取り付けられるように構成し、
前記一対の接続部の一方を他方より長く形成したことを特徴とする。
【００１０】
請求項３に記載の発明によれば、台座部上に一対の支柱を立設し、支柱に挿入部を形成するとともに手摺部材に接続部を形成し、挿入部に接続部を挿入することで手摺部材が台座部に取り付けられるように構成し、一対の接続部の一方を他方より長く形成したので、使用状態から収納状態への切り替えが容易になる。
すなわち、一対の接続部の一方を他方より長く形成したので、長く形成された接続部の一方のみが挿入された状態で手摺部材を回動させることが可能となり、切り替えを容易に行うことができる。
【００１１】
請求項４に記載の発明は、請求項１から３の何れか一項に記載の平行棒型手摺であって、前記台座部は、前記一対の手摺部材の間隔を変更可能な間隔調整部を備えることを特徴とする。
【００１２】
請求項４に記載の発明によれば、台座部は一対の手摺部材の間隔を変更可能な間隔調整部を備えるので、使用する人の体格に合わせて手摺部材の間隔を調節することが可能となる。
【発明の効果】
【００１３】
本発明によれば、台座部は、一側部に車輪を備えるので、安定性を増すことを目的に台座部の重さを増しても容易に移動できる。
また、台座部を傾倒させることによって車輪のみが接地した状態となるので、移動可能とするための操作が簡単であるとともに、車輪を接地させるための機構を必要としないため低コストである。また、車輪以外の部分が床面に接地することがなく、移動時に床面に傷がつくことを防止できる。さらに、台座部を傾倒させない使用時においては移動可能な状態とならないので安全である。
【発明を実施するための最良の形態】
【００１４】
以下、この発明の実施形態について図面を参照して説明する。
図１に示すように、この平行棒型手摺１は、床面に設置される台座部２および該台座部２上に垂直に立設された一対の支柱３，３を備え、略平行に配置された一対の台座部２，２の間に、対向する二つの支柱３，３により支持された一対の手摺部材４，４が架け渡されるように配されることで、手摺部材４、４の手摺部５，５が平行に配されるようになっている。
【００１５】
台座部２は、矩形板状であって、その一面が床面に面する底面とされ、底面と対向する上面に一対の支柱３，３が、上面に対して垂直に立設されている。この一対の支柱３，３は、所定間隔をおいて配されており、その配列方向は矩形状の上面における長手方向に沿っている。すなわち、一対の支柱３，３は、矩形状の上面における長手方向の中央から、それぞれ同じ距離だけ離れた位置であって、長手方向と直交する短手方向の中央となる位置に立設されている。
【００１６】
また、各支柱３の上部には、上下方向に延在するとともに上側に開口した筒状の空間を有する挿入部７が形成されており、ここに後述する手摺部材４に形成された接続部６の一端を挿入することで、両者が接続されるようになっている。なお、手摺部材４に形成された接続部６には、長い接続部６ａと短い接続部６ｂとがあって、挿入部７の空間は、挿入される接続部６の長さに応じて異なる深さに形成されている。
さらに支柱３には、挿入部７に挿入された接続部６を、挿入部７内に固定する図示しない固定手段（例えば、ボルトとナットなど）が設けられている。
【００１７】
また、各支柱３の下部側面には、短手方向に沿って台座部２の一側方に延出する支持部８が形成され、この支持部８の端部には移動手段としての車輪９が取り付けられている。車輪９は、その車軸が台座部２の長手方向に沿うように支持部８に支持されており、台座部２の短手方向に沿った垂直な面内で回転可能となっている。また、この車輪９は、台座部２の底面を床面上に配した状態においては床面と接しない状態となるとともに、台座部２を傾倒させた状態においては床面に接するような位置に設けられている。
【００１８】
手摺部材４は断面が円形の棒状の部材からなり、その両端部は同じ方向へ直角に屈折し、全体視コ字状に形成されている。この手摺部材４は直角に屈折した部分を境にして、両端側が支柱３の挿入部７に挿入される接続部６とされ、接続部６の間にある部分が手摺部５とされている。
【００１９】
手摺部材４の両端部にある接続部６，６は、支柱３に形成された挿入部７の筒状の空間における内径より若干小さい外径を有し、支柱３に形成された挿入部７に挿入可能とされている。また、この接続部６は、互いに平行となるように形成されているが、その長さは、一方が他方より長く形成されている。すなわち、手摺部５の一方には長い接続部６ａが形成され、他方には短い接続部６ｂが形成されている。これによって支柱３に手摺部材４が着脱可能に取り付けられるようになるとともに、短い接続部６ｂを挿入部７から引き抜いた状態でも、長い接続部６ａは挿入部７に挿入された状態となり、この部分を軸として台座部２に対し手摺部材４が回動可能となる。
【００２０】
なお、本実施形態においては、長い接続部６ａは移動手段としての車輪９が設けられた側から見て右側の支柱３に設けられた挿入部７に挿入されるようになっている。また、一対の接続部６ａ，６ｂの間隔は、台座部２に形成された一対の支柱３，３の間隔と同じ間隔とされており、台座部２に立設された一対の支柱３，３にちょうど手摺部材４の両端にある接続部６ａ，６ｂを挿入できるようになっている。
【００２１】
以上のように構成される平行棒型手摺１は、使用状態においては、図１に示すように、一対の台座部２，２を対向するように、すなわち、台座部２に形成された一対の支柱３，３の配列方向が平行になるように配する。この状態においては、台座部２の底面が床面に接するとともに、移動手段をなす車輪９が床面から離れた状態となる。なお、一対の台座部２，２は、互いに車輪９が設けられていない側が対向するように配されており、これによって、長い接続部６ａを挿入可能な挿入部７と、短い接続部６ｂを挿入可能な挿入部７とが対向するように配されている。
【００２２】
また、手摺部材４は、長い接続部６ａを中心として、車輪９が設けられた側とは反対側に、台座部２の延在方向に対して９０度回動した状態とされ、短い接続部６ｂが、対向して配された台座部２の支柱３に形成された挿入部７に挿入されている。これによって、一対の台座部２，２と一対の手摺部材４，４とが正方形を形成するように枠状に連結された状態となっている。
【００２３】
平行棒型手摺１を収納状態に切り替える際には、まず、手摺部材４を短い接続部６ｂの長さの分だけ持ち上げる。これにより、短い接続部６ｂが挿入部７から抜け、長い接続部６ａのみが挿入部７に挿入された状態となる。そして、挿入部７に挿入された状態となっている長い接続部６ａを軸として、手摺部材４を台座部２の長手方向に沿った状態となるように回動させ、その位置で持ち上げていた手摺部材４を下ろす。上述したように、一対の接続部６ａ，６ｂは一対の支柱３，３の間隔と等しい間隔をおいて形成されており、短い接続部６ｂがちょうど支柱３の挿入部７に挿入されることとなる。さらに、接続部６を図示しない固定手段によって挿入部７内に固定すれば、図２に示すように、一つの台座部２上に一つの手摺部材４が配された収納状態となる。
【００２４】
収納状態に切り替えた後、図３に示すように、台座部２を車輪９が設けられた側に傾倒させると、床面から離れた状態となっていた車輪９が床面に接地した状態となる。なお、傾倒させる当初は、台座部２の一部と車輪９が床面に接地した状態となるが、この状態からさらに傾倒させると、車輪９のみが床面に接地した状態となり、容易に移動することが可能となる。移動させる際には、手摺部５を持って移動すればよく、このことから手摺部５は移動時の取っ手としての機能も有することとなる。なお、収納状態から使用状態に切り替える場合は、上述の操作と逆の操作を行えば良い。
【００２５】
以上のように構成される平行棒型手摺１は、必要な場所へ容易に移動することが可能であり、例えば、病院や老人ホームにおいて、椅子やベッドから立ち上がる際の補助や、歩行補助などに使用できる。
【００２６】
なお、移動手段としての車輪９は、支柱３に取り付けられているとしたが、台座部２に取り付けるようにしても良い。
また、台座部２の底面を床面上に配した状態（台座部を傾倒させていない状態）において、車輪９が床面に接した状態となるようにしても良い。このようにすれば、車輪９のみが床面に接した状態とするのに必要な台座部２を傾倒させる角度を小さくでき、より容易に移動することが可能となる。
また、台座部２の数および手摺部材４の配設方法は上述したものに限られるものではなく、例えば、一つの台座部２によって一対の手摺部材４，４が支持されるような構成としても良い。また、一対の手摺部材４，４を一対の台座部２，２の各々に一つずつ配し、一対の手摺部材４，４が平行になるように一対の台座部２，２を配設するような構成としても良い。
【００２７】
次に、図４を参照して、平行棒型手摺１の変形例について説明する。なお、以下の変形例では、上述の平行棒型手摺１と同様の構成については、同じ符号を付して説明を省略する。
【００２８】
この平行棒型手摺１は、台座部２上に立設された支柱３の一部に、一対の手摺部材４，４の間隔を変更可能な間隔調整部１０が設けられている。この間隔調整部１０は、支柱３の上側部分をなすものであってクランク状に形成されており、台座部２上に立設され、移動手段をなす車輪９が取り付けられた支柱３の下側部分１１に対し回動可能に取り付けられている。また、支柱３の下側部分１１であって、間隔調整部１０との接続部分には、回動可能な間隔調整部１０を任意の回動角度で固定する図示しない固定手段が設けられている。
【００２９】
このような間隔調整部１０によって、図４（ａ）に示すように、一対の手摺部材４，４の間隔を支柱３の下側部分１１の間隔より狭くした状態から、図４（ｂ）に示すように、一対の手摺部材４，４の間隔を支柱３の下側部分１１の間隔より広げた状態とにすることができ、使用する人の体格等に合わせて調整した様々な長さの手摺部材４，４を使用することができるようになる。
【００３０】
なお、間隔調整部１０は、上述したものに限られず、例えば、支柱３，３自体が台座部２上で左右にスライドするような構成を有するものとしても良い。
【００３１】
次に、図５を参照して、手摺部材４の変形例について説明する。なお、以下の変形例では、上述の平行棒型手摺１と同様の構成については、同じ符号を付して説明を省略する。
【００３２】
この手摺部材１２は、手摺部５の長さが、台座部２に設けられた一対の支柱３，３の間隔と同じである接続部６の間隔よりも長くされている。これによって、より長い距離で歩行の補助を行うことができるようになっている。
【００３３】
この手摺部材１２における接続部６の間隔は、台座部２に設けられた一対の支柱３，３の間隔と同じであり、さらに、長い接続部６ａと短い接続部６ｂがそれぞれ一つずつ形成されていて、上述と同様に使用状態と移動状態とに切り替え可能となっている。
【００３４】
なお、この手摺部材１２を、上述した全体視コ字状の手摺部材４と交換することで使用状態においてのみ用いるものとしても良い。この場合は、接続部６の間隔は、台座部２に設けられた一対の支柱３，３の間隔と同じでなくても良い。
【００３５】
次に、図６を参照して、平行棒型手摺の変形例について説明する。なお、以下の変形例では、上述の平行棒型手摺１と同様の構成については、同じ符号を付して説明を省略する。本変形例においては、一対の平行な手摺部材４，４の両側部を連結するように、一対のスペア棒１３，１３が取り付けられており、一対の手摺部材４，４と一対のスペア棒１３，１３とで、所定範囲を矩形状に区画する柵を形成するようになっている。
【００３６】
手摺部材４の接続部６には、手摺部５の接続側と反対側の側面に、接続部６の延在方向に沿って配された筒状の取付部１４が設けられ、この取付部１４にコ字状のスペア棒１３が取り付けられるようになっている。スペア棒１３は断面が円形の棒状の部材からなり、その両端部は同じ方向へ直角に屈折し、全体視コ字状に形成されている。このスペア棒１３の屈折した部分より先の部分は、上述した筒状の取付部１４に挿入可能な径とされている。以上のような構成により、平行棒型手摺１を、例えば、立入禁止区域を区画する柵として利用することができる。
【００３７】
なお、スペア棒１３は必ずしも二本取り付ける必要はなく、一本のみ取り付けて一対の手摺部材４，４と一本のスペア棒１３とで三方を囲うようにすれば、例えば、一人だけが入ることができる空間を形成する仕切りとして利用することもできる。
また、図６に示すように、一つの台座部２上に一つの手摺部材４が配された収納状態でスペア棒１３を取り付けるようにすれば、スペア棒１３の長さによって区画する領域の広さを変化させることができる。
【図面の簡単な説明】
【００３８】
【図１】本発明を適用した一実施の形態の構成を示す平行棒型手摺の斜視図である。
【図２】収納状態にした平行棒型手摺の斜視図である。
【図３】台座部を傾倒した状態を示す平行棒型手摺の下部側面図である。
【図４】平行棒型手摺の変形例を示す側面図である。
【図５】手摺部材の変形例を示す図である。
【図６】平行棒型手摺の変形例を示す図である。
【符号の説明】
【００３９】
１    平行棒型手摺
２    台座部
３    支柱
４    手摺部材
６    接続部
６ａ  長い接続部
６ｂ  短い接続部
７    挿入部
９    車輪
１０  間隔調整部
【図１】
2007075260.tif 000003
【図２】
2007075260.tif 000004
【図３】
2007075260.tif 000005
【図４】
2007075260.tif 000006
【図５】
2007075260.tif 000007
【図６】
2007075260.tif 000008